(57)【要約】【課題】建物の外壁部と屋根部とが接続される箇所の意匠性を向上できる防水部材、建物の防水構造、防水部材用鋼板および防水部材用シートを提供する。【解決手段】この建物の防水構造は、建物の外壁部１と屋根部２とが接続される箇所に防水部材３が設けられた建物の防水構造であり、上記防水部材３は、上記外壁部１の側に位置する外壁側部３１１と上記屋根部２の側に位置する屋根側部３１２とを有する断面略Ｌ字状の鋼板３１と、この鋼板３１における上記外壁側部３１１の上端側に下端側が取り付けられた可撓性を有するシート３２と、を備える。【選択図】図１
2018155052.tif 000002
【特許請求の範囲】
【請求項１】
建物の外壁部と屋根部とが接続される箇所に設けられる防水部材であって、上記外壁部の側に位置する外壁側部と上記屋根部の側に位置する屋根側部とを有する断面略Ｌ字状の鋼板と、この鋼板における上記外壁側部の上端側に取り付けられた可撓性を有するシートと、を備えることを特徴とする防水部材。
【請求項２】
請求項１に記載の防水部材において、上記シートの下端部は、上記鋼板に固定されずに揺動可能な水返しとされたことを特徴とする防水部材。
【請求項３】
請求項１に記載の防水部材において、上記鋼板における上記外壁側部の上端側に水返しを有することを特徴とする防水部材。
【請求項４】
請求項１に記載の防水部材において、ゴム様体からなる防水層部を有することを特徴とする防水部材。
【請求項５】
請求項１〜請求項３のいずれか１項に記載の防水部材において、当該防水部材を上記外壁部に保持させる弾性部を有することを特徴とする防水部材。
【請求項６】
建物の外壁部と屋根部とが接続される箇所に防水部材が設けられた建物の防水構造であって、上記防水部材は、上記外壁部の側に位置する外壁側部と上記屋根部の側に位置する屋根側部とを有する断面略Ｌ字状の鋼板と、この鋼板における上記外壁側部の上端側に取り付けられた可撓性を有するシートと、を備えることを特徴とする建物の防水構造。
【請求項７】
請求項６に記載の建物の防水構造において、上記防水部材の屋外側を囲む雨押水切りが設けられており、この雨押水切りが水返しを有していることを特徴とする建物の防水構造。
【請求項８】
建物の外壁部と屋根部とが接続される箇所に設けられる防水部材の一部として用いる鋼鈑であって、上記外壁部の側に位置する外壁側部と上記屋根部の側に位置する屋根側部とを有する断面略Ｌ字状を有しており、上記外壁側部の上端側に接着部を有することを特徴とする防水部材用鋼板。
【請求項９】
建物の外壁部と屋根部とが接続される箇所に設けられる防水部材の一部として用いるシートであって、片面または両面の端側に接着部を有することを特徴とする防水部材用シート。
【発明の詳細な説明】
【技術分野】
【０００１】
この発明は、建物の外壁部と屋根部とが接続される箇所に設けられる防水部材、建物の防水構造、防水部材用鋼板および防水部材用シートに関する。
【背景技術】
【０００２】
図６に、建物の外壁部１０１と屋根部１０２とが接続される箇所に防水鋼板１０３が設けられた従来の建物の防水構造を示す。上記外壁部１０１は、工業化住宅において一般に用いられる外壁面材一体型の外壁パネルからなり、このような外壁パネルが取り付けられた後に上記防水鋼板１０３が装着される。また、上記防水鋼板１０３は、上記外壁部１０１の裏側に位置する外壁側部１０３ａと上記屋根部１０２の屋根材１０２１の裏側に位置する屋根側部１０３ｂとを有する。上記外壁側部１０３ａは、上記外壁部１０１の下端から上方向に差し込まれ、上記外壁部１０１の裏側に存在する防水面部と重なるように設けられる。また、上記外壁部１０１の下端から上記屋根部１０２の上端側にかけて設けられる雨押水切り１０５によって上記防水鋼板１０３を覆い隠すようにしている。
【０００３】
なお、特許文献１には、外壁面材の下端部と屋根部材との取合い部において、簡易な構成で、躯体面に段差が設けられた階間躯体部の防水性を向上させる水切り構造が開示されている。
【先行技術文献】
【特許文献】
【０００４】
【特許文献１】特開２０１６−１０２３０８号公報
【発明の概要】
【発明が解決しようとする課題】
【０００５】
しかしながら、上記従来の防水構造では、上記外壁側部１０３ａは、上記外壁部１０１の裏側に存在する防水面部との重なりに必要な長さを有して形成される上に、上記外壁部１０１の下端から上方向に差し込まれて取り付けられるため、上記外壁部１０１の下端を、上記屋根部１０２の上端から大きく離れて位置させる必要がある。このため、上記雨押水切り１０５の見付けが大きくなり、建物の外壁部と屋根部とが接続される箇所の意匠性を低下させるという問題がある。
【０００６】
また、図７に示すように、上記屋根部１０２には水勾配が付けられるため、上記防水鋼板１０３を屋根上に置いただけでは、ずれが生じて姿勢が不適切になり、この不適切な状態で留め付けられると、後で修正作業が必要になる場合もある。
【０００７】
この発明は、上記の事情に鑑み、建物の外壁部と屋根部とが接続される箇所の意匠性を向上できる防水部材、建物の防水構造、防水部材用鋼板および防水部材用シートを提供することを目的とする。
【課題を解決するための手段】
【０００８】
この発明の防水部材は、上記の課題を解決するために、建物の外壁部と屋根部とが接続される箇所に設けられる防水部材であって、上記外壁部の側に位置する外壁側部と上記屋根部の側に位置する屋根側部とを有する断面略Ｌ字状の鋼板と、この鋼板における上記外壁側部の上端側に取り付けられた可撓性を有するシートと、を備えることを特徴とする。
【０００９】
上記の構成であれば、上記シートによって建物の外壁部の側で必要となる立ち上げ箇所を確保することができる。そして、当該防水部材を上記建物の外壁部の下端から上方向に差し込むことにおいては、上記可撓性を有するシートを曲げて入れることができるため、上記建物の外壁部の下端を上記屋根部の上端から大きく離して位置させる必要がなくなる。このため、雨押水切りを設けるときでもその見付けを小さくすることができ、建物の外壁部と屋根部とが接続される箇所の意匠性が向上する。また、上記鋼板と上記シートとからなる防水部材は現場ではなく工場で作製できるので、品質の一定化や低コスト化が図れる。また、現場で上記鋼板に上記シートを貼り付ける必要がないので、現場での作業負担を軽減できる。
【００１０】
上記シートの下端部は、上記鋼板に固定されずに揺動可能な水返しとされてもよい。
【００１１】
或いは、上記鋼板における上記外壁側部の上端側に水返しを有してもよい。
【００１２】
或いは、ゴム様体の防水層部を有してもよい。
【００１３】
また、防水部材の屋外側に当該防水部材を上記外壁部に保持させる弾性部を有してもよい。上記弾性部が設けられていると、当該防水部材を仮置く時に上記外壁部に保持させることができるので、仮置き時のずれの発生を防止して当該防水部材を適切な姿勢で屋根部に留め付けることができる。
【００１４】
また、この発明の建物の防水構造は、建物の外壁部と屋根部とが接続される箇所に防水部材が設けられた建物の防水構造であって、上記防水部材は、上記外壁部の側に位置する外壁側部と上記屋根部の側に位置する屋根側部とを有する断面略Ｌ字状の鋼板と、この鋼板における上記外壁側部の上端側に取り付けられた可撓性を有するシートと、を備えることを特徴とする。
【００１５】
上記の構成であれば、上記シートによって建物の外壁部の側で必要となる立ち上げ箇所を確保することができる。そして、当該防水部材を上記建物の外壁部の下端から上方向に差し込むことにおいては、上記可撓性を有するシートを曲げて入れることができるため、上記建物の外壁部の下端を上記屋根部の上端から大きく離して位置させる必要がなくなる。このため、雨押水切りを設けるときでもその見付けを小さくすることができ、建物の外壁部と屋根部とが接続される箇所の意匠性が向上する。
【００１６】
上記シートの下端部は、上記鋼板に固定されずに揺動可能な水返しとされてもよい。
【００１７】
或いは、上記鋼板における上記外壁側部の上端側に水返しを有してもよい。
【００１８】
或いは、ゴム様体の防水層部を有してもよい。
【００１９】
上記防水部材の屋外側を囲む雨押水切りが設けられており、この雨押水切りが水返しを有してもよい。
【００２０】
また、この発明の建物の防水部材用鋼板は、建物の外壁部と屋根部とが接続される箇所に設けられる防水部材の一部として用いる鋼鈑であって、上記外壁部の側に位置する外壁側部と上記屋根部の側に位置する屋根側部とを有する断面略Ｌ字状を有しており、上記外壁側部の上端側に接着部を有することを特徴とする。これによれば、現場等において、効率的に防水部材を作製することができる。
【００２１】
また、この発明の建物の防水用シートは、建物の外壁部と屋根部とが接続される箇所に設けられる防水部材の一部として用いるシートであって、片面または両面の端側に接着部を有することを特徴とする。これによれば、現場等において、効率的に防水部材を作製することができる。
【発明の効果】
【００２２】
本発明であれば、建物の外壁部と屋根部とが接続される箇所の意匠性を向上できるという効果を奏する。
【図面の簡単な説明】
【００２３】
【図１】本発明の実施形態の建物の防水構造を示す概略の縦断面図である。
【図２】図１の防水構造で用いた防水部材の作製要領を示して説明図である。
【図３】本発明の他の実施形態の建物の防水構造を示す概略の縦断面図である。
【図４】本発明の他の実施形態の建物の防水構造を示す概略の縦断面図である。
【図５】本発明の他の実施形態の建物の防水構造を示す概略の縦断面図である。
【図６】従来の建物の防水構造を示す概略の縦断面図である。
【図７】従来の建物の防水構造において防水部材がずれる場合があることを示す説明図である。
【発明を実施するための形態】
【００２４】
以下、この発明の実施形態を添付図面に基づいて説明する。図１に示すように、この実施形態の建物の防水構造は、建物の外壁部１と屋根部２とが接続される箇所に防水部材３が設けられた構造である。上記外壁部１は例えば外壁パネルからなり、外壁面材１１と、この外壁面材１１の裏面側に設けられた胴縁１２と、この胴縁１２の裏面側に設けられた２次防水面部１３と、この２次防水面部１３の裏面側に設けられた断熱層板１４と、を備える。また、上記屋根部２は、野地板２１と、この野地板２１上に設けられたルーフィング２２と、このルーフィング２２上に設けられた屋根材２３と、を備える。
【００２５】
上記防水部材３は、断面略Ｌ字状の横長の鋼板３１と、可撓性を有する横長のシート３２とを備える。上記鋼板３１は例えばＺＡＭ鋼鈑からなり、上記シート３２は例えばポリプロピレンからなる。
【００２６】
なお、上記防水部材３においては、上記鋼板３１と上記シート３２とが現場で一体化されてもよいが、この実施形態では、上記鋼板３１と上記シート３２とが工場で一体化されたものを現場に持ち込んで使用している。
【００２７】
上記鋼板３１は、上記外壁部１の側で立ち上がる外壁側部３１１と、上記屋根部２の側に位置する屋根側部３１２とを有しており、折り曲げによってＬ字状に形成されている。そして、上記シート３２の下端側は、上記鋼板３１における上記外壁側部３１１の上端側に接着により固定されている。上記シート３２は、上記外壁部１の裏側に存在する２次防水面部１３と十分に重なる高さを有する。また、上記シート３２の最下端部は、上記鋼板３１に固定されずに揺動可能な水返し３２ａとされている。この水返し３２ａは、接着部の縁側を回動支点として揺動可能となり、下からの風圧を受けることで上側に移動する。また、上記水返し３２ａは、上に移動したときに上記胴縁１２の下端側（通気層端）を塞ぐ長さを有しているのが望ましく、このような長さを有すると、強風時に上記通気層端を塞いで室内に風雨が入り込むのを防止することができる。
【００２８】
また、上記防水部材３には、ピース状配置に(点在配置に)或いは通しで隙間なくゴム様体からなる弾性部３３が設けられている。上記弾性部３３は、上記水返し３２ａとなる箇所の上側であって屋外側の箇所に設けられており、上記外壁部１の裏側の下端部（断熱層板１４の下方側）に嵌め込むことで、当該防水部材３を上記外壁部１に保持させることができる。上記弾性部３３は、例えば、ＥＰＤＭ（エチレン・プロピレンゴム）の発泡体などの可撓性のあるスポンジ状の素材を用いることができる。上記弾性部３３は現場で上記防水部材３に貼り付けられてもよいが、この実施形態では、上記弾性部３３が既に工場で貼り付けられた防水部材３を現場に持ち込んで使用している。上記防水部材３の製作例の概要を図２に示している。上記鋼板３１と上記シート３２とを接着剤(ブチルテープ等)Ａによって貼り付ける。そして、上記シート３２の下端を折り曲げて水返し３２ａを形成し、また、上記水返し３２ａの上側であって、上記鋼板３１の上端部が存在する箇所に上記弾性部３３を接着固定する。
【００２９】
上記防水部材３を取り付けるときには、その立ち上がり部となる上記シート３２の上端側を上記外壁部１の下側からその裏側に差し込む。この差し込みの作業においては、上記シート３２を曲げて入れ易くすることができる。上記シート３２を上側に差し込むことで、上記弾性部３３を上記外壁部１の下端に嵌め込むことができる。この嵌め込みによって上記防水部材３が保持され、未固定の上記防水部材３を上記屋根部２上において適切な姿勢で順次仮置きしていくことができる。この適切な姿勢の仮置き状態で、上記屋根側部３１２に上側からビス等を打ち込んで上記野地板２１に上記防水部材３を固定する。上記弾性部３３が差し込まれる空間の厚さは例えば１２ｍｍ程度であり、上記弾性部３３は、上記空間を形成する部材に接触して突っ張れる厚みを有する。
【００３０】
また、上記防水部材３を覆い囲むように、上記外壁面材１１の下端部から上記屋根部２の最も上側の屋根材２３の上側にかけて雨押水切り４が設けられる。この雨押水切り４の上端部と上記外壁面材１１の下端との間には不定形シールを用いたシール部が形成される。また、上記雨押水切り４の下端部と上記屋根材２３との間にもシール部が形成される。なお、上記雨押水切り４の下部側の立ち上げ箇所には空気取り入れ口が形成されている。
【００３１】
上記の構成であれば、上記シート３２によって建物の外壁部１の側で必要となる立ち上げ箇所を確保することができる。そして、当該防水部材３を上記建物の外壁部１の下端から上方向に差し込むことにおいては、上記可撓性を有するシート３２を曲げて入れることができるため、上記建物の外壁部１の下端を上記屋根部２の上端から大きく離して位置させる必要がなくなる。このため、雨押水切り４を設けるときでもその見付けを小さくすることができ、建物の外壁部１と屋根部２とが接続される箇所の意匠性が向上する。
【００３２】
また、上記屋根部２には水勾配が付けられるため、上記防水部材３を屋根上に仮置いただけでは、ずれが生じて姿勢が不適切になりがちとなる。上記弾性部３３が設けられていると、当該防水部材３を仮置く時に上記外壁部１に保持させることができるので、仮置き時のずれの発生を防止して当該防水部材３を適切な姿勢で屋根部２に留め付けることができる。なお、上記弾性部３３をピースではなく通しで設ける構造であれば、この弾性部３３が防水層部を兼ねる構成となる。
【００３３】
また、上記鋼板３１と上記シート３２とからなる防水部材３が現場ではなく工場で作製されると、品質の一定化や低コスト化が図れる。また、現場で上記鋼板３１に上記シート３２を貼り付ける必要がないので、現場での作業負担を軽減できる。
【００３４】
図３を参照して他の実施形態を説明していく。この実施形態の防水部材３も、鋼板３１とシート３２とからなるが、上記鋼板３１において水返し３１ａが形成されている。例えば、上記鋼板３１における外壁側部３１１の上側部が下向きに折り返されており、この折り返しの先端側が屋外方向に突き出ている。この突き出た部分は屋外に向かって下り傾斜し、この傾斜部分が上記水返し３１ａをなす。なお、下り傾斜ではなく、水平に突き出てもよいが、上記胴縁１２の下端(通気口端)を塞がないようにする。上記シート３２の下端は、上記外壁側部３１１の折り返し箇所の屋外側面に接着される。
【００３５】
図４に示す実施形態では、ＥＰＤＭ（エチレン・プロピレンゴム）の発泡体などの柔軟性のあるスポンジ状の素材からなる断面方形状で長尺の防水層部３４を有している。この防水層部３４は、鋼板３１とシート３２との接着箇所の屋外側に通しで設けられる。上記シート３２の下端には水返し３２ａは形成されていない。なお、この防水層部３４は、上記弾性部３３としての機能も兼ねることができる。この機能を兼ね備える防水層部３４を上記外壁部１の下端に嵌め込むと、上記防水部材３が保持され、未固定の上記防水部材３を上記屋根部２上において適切な姿勢で順次仮置きしていくことができる。
【００３６】
なお、上記防水層部３４や上記弾性部３３の存在が目印となり、現場において作業者が上記防水部材３を適切な位置まで差し込めるようになる利点もある。
【００３７】
図５に示す実施形態では、上記雨押水切り４がその内側に垂下状に延設される水返し４ａを有している。このように雨押水切り４が水返し４ａを有する構造でも、適切に水返しを行うことができる。なお、この図５の形態でも上記防水層部３４を備えているが、上記水返し４ａを有するので、上記防水層部３４に代えてピース状に配置される上記弾性部３３を備えてもよい。
【００３８】
上記防水部材３について、鋼板３１とシート３２とが別体で提供される場合、例えば、図２に示した上記シート３２の接着部Ａの箇所に離型紙を設けておいてもよい。すなわち、建物の外壁部１と屋根部２とが接続される箇所に設けられる防水部材３用のシートとして、片面の端側に接着部Ａおよび離型紙を有する防水部材用シートを提供してもよい。これにより、この防水部材用シートと鋼板３１を現場に持ち込んで、これらを一体化して防水部材３とするときに、上記離型紙を剥がして上記シート３２の接着部Ａを鋼板３１に貼り付ければよいので、現場で効率的に上記防水部材３を作製できる。もちろん、片面ではなく、両面の端側に接着部Ａおよび離型紙を有する防水部材用シートを提供してもよい。このように両面とする場合、そうちの片面を、例えば、上記防水層部３４の貼り付けに利用することができる。
【００３９】
或いは、上記防水部材３について、鋼板３１とシート３２とが別体で提供される場合、鋼板３１の側に接着部を設けておき、この接着部に離型紙を貼り付けておいてもよい。すなわち、建物の外壁部１と屋根部２とが接続される箇所に設けられる防水部材３用の鋼鈑として、上記外壁部１の側に位置する外壁側部３１１と上記屋根部２の側に位置する屋根側部３１２とを有する断面略Ｌ字状を有し、上記外壁側部３１１の上端側に接着部および離型紙を有する防水用鋼板を提供してもよい。これにより、上記防水用鋼板と防水部材用シートとを現場に持ち込んで、これらを一体化して防水部材３とするときに、上記離型紙を剥がして接着作業を行えばよいので、現場で効率的に上記防水部材３を作製することができる。
【００４０】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００４１】
１        ：外壁部
２        ：屋根部
３        ：防水部材
４        ：雨押水切り
４ａ      ：水返し
１１      ：外壁面材
１２      ：胴縁
１３      ：２次防水面部
１４      ：断熱層板
２１      ：野地板
２２      ：アスファルトルーフィング
２３      ：屋根材
３１      ：鋼板
３１ａ    ：水返し
３２      ：シート
３２ａ    ：水返し
３３      ：弾性部
３４      ：防水層部
３１１    ：外壁側部
３１２    ：屋根側部
【図１】
2018155052.tif 000003
【図２】
2018155052.tif 000004
【図３】
2018155052.tif 000005
【図４】
2018155052.tif 000006
【図５】
2018155052.tif 000007
【図６】
2018155052.tif 000008
【図７】
2018155052.tif 000009